(57)【特許請求の範囲】
【請求項１】
地中に埋設されるハンドホールであって、
最下部に位置する底部と、
前記底部から上方へ延び、前記底部とともに収容室を形成している筒状の側壁部と、
前記側壁部を貫き、ケーブルが挿入される複数のケーブル挿入部と、
前記側壁部を貫き、下端が前記ケーブル挿入部の下端よりも下方に位置する開口部と、
前記開口部に挿入され、前記底部と概ね平行に外側に延び、前記収容室に流入した水を前記収容室の外側へ案内する排水管と、
を備え、
前記排水管は、前記収容室側の端部に浮き部材を有し、その端部が前記浮き部材とともに前記収容室の内側で上下へ移動可能であるハンドホール。
【請求項２】
前記排水管は、下端側に内側と外側とを接続する複数の孔を有する請求項１記載のハンドホール。
【請求項３】
請求項１または２記載のハンドーホールと、
前記開口部の中心軸を延長した仮想延長線上において前記排水管の外側を覆い、前記排水管の外側を保護し、水の浸透性を有する保護土砂層と、
前記保護土砂層において前記排水管から水が排出される部分に設けられ、前記保護土砂層と同一または近似する水の浸透性を有し、前記保護土砂層に連続する吸水層と、
を備えるハンドホール設置構造。
【発明の詳細な説明】
【技術分野】
【０００１】
本発明の実施形態は、ハンドホールおよびハンドホール設置構造に関する。
【背景技術】
【０００２】
従来、地下に埋設されている電気や電話などのケーブルを保守するために、ケーブルの所定間隔ごとにハンドホールが設けられている。ハンドホールは、例えばコンクリートなどにより底部を有する筒状に形成され、地中に埋設されている。このようなハンドホールは、周辺の降水によって内側の収容室に水が浸入する。そこで、従来のハンドホールは、底部に周囲よりも肉厚の薄い薄肉部を形成し、この薄肉部を貫く穴を形成することにより、水抜き用の穴を形成している。
【０００３】
しかしながら、ハンドホールを地中に埋設する場合、ハンドホールの下方すなわち底部を支持する支持層および支持層より下方の土砂層は、ハンドホールを確実に支持するために固く突き固められている。そのため、底部に水抜き用の穴を形成しても、ハンドホールが形成する収容室内の水は、突き固められた支持層および土砂層に浸透しにくい。その結果、集中豪雨など短時間の大量の降水があると、ハンドホールの排水が不十分となり、ケーブルの腐食や損傷の原因となる。また、ハンドホールの近辺に電源がない場合、電動水中ポンプなどを用いたハンドホールからの排水が困難となり、復旧に長時間を必要とするという問題も生じる。
【先行技術文献】
【特許文献】
【０００４】
【特許文献１】実開平６−２４３３７号公報
【発明の概要】
【発明が解決しようとする課題】
【０００５】
そこで、周辺の土砂を固く突き固めた場合でも、内部からの排水を促進し、短時間での復旧が容易なハンドホールおよびハンドホール設置構造を提供する。
【課題を解決するための手段】
【０００６】
本実施形態のハンドホールによれば、地中に埋設される。ハンドホールは、底部、側壁部、ケーブル挿入部、開口部、および排水管を備える。底部は、最下部に位置する。側壁部は、前記底部から上方へ延び、前記底部とともに収容室を形成している筒状である。複数のケーブル挿入部は、前記側壁部を貫き、ケーブルが挿入される。開口部は、前記側壁部を貫き、下端が前記ケーブル挿入部の下端よりも下方に位置する。排水管は、前記開口部に挿入され、前記底部と概ね平行に外側に延び、前記収容室に流入した水を前記収容室の外側へ案内する。前記排水管は、前記収容室側の端部に浮き部材を有し、その端部が前記浮き部材とともに前記収容室の内側で上下へ移動可能である。
【図面の簡単な説明】
【０００７】
【図１】第１実施形態によるハンドホールおよびハンドホール設置構造を示す模式的な断面図
【図２】図１の矢印ＩＩ方向から見た矢視図
【図３】第２実施形態によるハンドホールおよびハンドホール設置構造を示す図１に相当する模式図
【図４】第３実施形態によるハンドホールおよびハンドホール設置構造を示す図１に相当する模式図
【図５】第４実施形態によるハンドホールおよびハンドホール設置構造を示す図１に相当する模式図
【図６】第５実施形態によるハンドホールおよびハンドホール設置構造を示す図１に相当する模式図
【発明を実施するための形態】
【０００８】
以下、ハンドホールおよびその設置構造の具体的な複数の実施形態を図面に基づいて説明する。なお、各実施形態において実質的に同一の構成部位には、同一の符号を付し、説明を省略する。
【０００９】
（第１実施形態）
第１実施形態によるハンドホールおよびその設置構造を図１に示す。図１に示すようにハンドホール１０は、底部１１および側壁部１２を備えている。このようにハンドホール１０は、矩形状の底部１１を有し、側壁部１２が四角筒状に形成され、地面１３よりも下方すなわち地中に埋設される。ハンドホール１０は、例えばコンクリートなどにより底部１１および側壁部１２が一体に形成されている。これにより、ハンドホール１０は、内側に底部１１と側壁部１２とに囲まれた収容室１４を形成している。ハンドホール１０は、底部１１と反対側の端部が開口しており、この開口する端部に蓋部材１５が取り付けられる。この蓋部材１５は、上端面が地面１３とほぼ同一の面上に位置している。蓋部材１５は、ハンドホール１０から着脱可能である。このような構成のハンドホール１０の場合、作業者は、蓋部材１５を取り外すことにより、ハンドホール１０の収容室１４に収容された各種の機器を取り扱うことができる。なお、ハンドホール１０は、四角の筒状に限らず、多角形の筒状、円筒状や楕円筒状など、任意の形状に成形することができる。
【００１０】
ハンドホール１０は、側壁部１２を貫くケーブル挿入部２１を有している。ケーブル挿入部２１は、側壁部１２を板厚方向に貫いてハンドホール１０の内部の収容室１４と外部とを接続している。このケーブル挿入部２１は、ケーブル２２が挿入される。ケーブル２２は、例えば地中に埋設される電力線や電話線などを構成する。ケーブル２２は、ハンドホール１０の一端に設けられているケーブル挿入部２１から収容室１４を経由して、ハンドホール１０の他端に設けられているケーブル挿入部２１へ延びている。ケーブル２２は、例えばその中間部分に設けられる中継器や、端部同士を接続するジョイントなどの図示しない中間機器を有している。ハンドホール１０の収容室１４にこれらの中間機器を収容することにより、中間機器は容易に保守が施される。
【００１１】
ケーブル２２は、外側がケーブル保護管２３で保護されている。ケーブル２２は、外径がケーブル保護管２３の内径よりも小さい。そのため、ケーブル２２とケーブル保護管２３との間には、この径の差に対応する隙間が形成されている。ケーブル保護管２３は、ケーブル２２の外周側においてケーブル挿入部２１に取り付けられている。これにより、ケーブル保護管２３は、ケーブル２２とハンドホール１０との直接的な接触を防止し、ケーブル２２を保護している。このケーブル保護管２３の外周側においてハンドホール１０との間には、目止剤２４が充填されている。目止剤２４は、ケーブル保護管２３とケーブル挿入部２１との間を目止めし、ケーブル保護管２３と側壁部１２との間の隙間から収容室１４側へ水が浸入するのを防止する。
【００１２】
ハンドホール１０は、ケーブル挿入部２１に加えて、側壁部１２を貫く開口部３１を有している。なお、図１では、開口部３１とケーブル挿入部２１との間の側壁部１２の表示を省略している。この開口部３１は、下端すなわち底部１１側の端部がケーブル挿入部２１の下端よりも下方すなわち底部１１側に位置している。つまり、図２に示すように、開口部３１の下端は、ケーブル挿入部２１の下端よりも下方に位置している。この開口部３１は、ケーブル挿入部２１と同様に側壁部１２を貫いて、収容室１４とハンドホール１０の外側とを接続している。
【００１３】
ハンドホール１０は、この開口部３１に挿入されている排水管３２を備えている。排水管３２は、開口部３１に挿入されており、底部１１と概ね平行にハンドホール１０の外側へ延びている。排水管３２は、収容室１４と反対側の端部に管端部３３を形成している。収容室１４の内側に浸入した例えば雨水などは、この開口部３１に挿入された排水管３２を経由して収容室１４の外部へ排出される。すなわち、収容室１４に浸入した水は、排水管３２に案内されてハンドホール１０の外部へ排出される。
【００１４】
上述したハンドホール１０は、図１に示すように地中に埋設される。この場合、ハンドホール１０を地中で強固に保持するために、ハンドホール１０の底部１１側には支持層部４１が設けられている。支持層部４１は、突き固められた土砂層またはコンクリートなどにより形成されている。支持層部４１は、ハンドホール１０を保持するために、水平に形成されている。この支持層部４１のさらに下方には、土砂層４２が位置している。土砂層４２は、図示しない地下水脈よりも上方に位置している。
【００１５】
一方、ハンドホール１０の外側すなわち側壁部１２の外側には、保護土砂層５１が設けられている。保護土砂層５１は、ハンドホール１０から延びているケーブル２２を保護する土砂層であり、ケーブル２２に沿って隣り合う他のハンドホール１０まで設けられている。保護土砂層５１は、比較的目の粗い土砂によって形成されており、比較的高い水の浸透性が確保されている。保護土砂層５１の下方を含む周囲には、通常の土砂層４２が位置している。なお、図１では、保護土砂層５１と土砂層４２との境界を明示しているが、実際は保護土砂層５１と土砂層４２との境界は不連続かつ不明確である。
【００１６】
ハンドホール１０は、底部１１に板厚方向に貫く排水穴６１を設けてもよい。排水穴６１は、底部１１の収容室１４側の端部に設けられている集水凹部６２と、底部１１の外側とを接続している。この排水穴６１には、底部排水管６３が挿入されている。底部排水管６３は、一方の端部が底部１１の集水凹部６２に位置し、他方の端部が支持層部４１の下方の土砂層４２に位置している。これにより、集水凹部６２に集められた水は、底部排水管６３を経由して土砂層４２へ排出される。
【００１７】
このように、上記したハンドホール１０および保護土砂層５１は、ハンドホール設置構造を構成している。
上記のようなハンドホール１０の場合、降水などによってハンドホール１０の内部の収容室１４に水が溜まる。通常の場合、収容室１４に浸入した水は、集水凹部６２へ集められ、底部排水管６３を経由して土砂層４２へ排出される。しかし、支持層部４１よりも下方の土砂層４２は、支持層部４１を形成し、ハンドホール１０を支持するために強固に突き固められている。そのため、底部排水管６３を経由する水は、支持層部４１の下方に位置する土砂層４２へ浸透しにくい。その結果、特に集中豪雨などのように短時間で大量の降水があった場合、収容室１４からの排水は不十分になるおそれがある。収容室１４からの排水が不十分になると、ケーブル２２やケーブル２２に設けられている図示しない中間機器がハンドホール１０の内部で浸水するおそれがある。
【００１８】
そこで、第１実施形態の場合、ハンドホール１０は開口部３１に挿入されている排水管３２を備えている。排水管３２が挿入される開口部３１の下端は、ケーブル２２が挿入されるケーブル挿入部２１の下端よりも下方に位置している。そして、排水管３２は、収容室１４とは反対側の端部である管端部３３が、水の浸透性が高い保護土砂層５１に開口している。そのため、収容室１４の水は、底部排水管６３だけでなく、排水管３２からも外部へ排水される。具体的には、ハンドホール１０の内部の収容室１４に水が浸入し、底部排水管６３からの排水だけでは不十分になると、収容室１４における水位は蓋部材１５側へ上昇する。収容室１４における水位が開口部３１に達すると、収容室１４の水は、排水管３２を経由して管端部３３から水の浸透性が高い保護土砂層５１へ排水される。その結果、収容室１４から外部への排水は促進される。
【００１９】
また、上記の通り開口部３１の下端すなわち排水管３２の下端は、ケーブル挿入部２１の下端よりも下方に位置する。そのため、収容室１４における水位がケーブル２２に達する前に、排水管３２からの排水が開始される。その結果、収容室１４に収容されているケーブル２２や中間機器の浸水は回避される。また、収容室１４における水位の上昇によって仮にこれらが浸水しても、収容室１４の水は排水管３２を経由して保護土砂層５１へ排水される。これにより、収容室１４は早期に浸水状態から脱し、ケーブル２２や中間機器を迅速に復旧することができる。
【００２０】
以上説明したように、第１実施形態では、収容室１４に浸入した水は、底部排水管６３だけでなく開口部３１に挿入された排水管３２を経由して保護土砂層５１へ排水される。排水管３２は、収容室１４と反対側の管端部３３が水の浸透性が高い目の粗い保護土砂層５１に面している。そのため、収容室１４の水は、排水管３２を経由して速やかに外部の保護土砂層５１へ排水される。したがって、支持層部４１の下方の土砂層４２を固く突き固めた場合でも、収容室１４からの排水を促進することができる。また、収容室１４からの排水が促進されるため、ケーブル２２および中間機器を短時間で容易に復旧することができる。
【００２１】
また、第１実施形態では、排水管３２が挿入される開口部３１は、下端がケーブル挿入部２１の下端よりも下方に位置している。そのため、収容室１４の水は、水位がケーブル２２に達する前に排水管３２へ流入する。したがって、ケーブル２２や中間機器の浸水を予め回避できる。また、仮に想定外の降水によってケーブル２２や中間機器が浸水しても、収容室１４の水はより下方に位置する排水管３２から速やかに排水される。したがって、収容室１４に収容されているケーブル２２および中間機器を短時間で復旧することができる。
【００２２】
（第２実施形態）
第２実施形態によるハンドホールおよびハンドホール設置構造を図３に示す。
第２実施形態の場合、図３に示すように排水管３２は、その途中において下端側に複数の孔７１を有している。孔７１は、排水管３２を貫いて内側と外側とを接続している。これにより、排水管３２を流れる水は、先端の管端部３３からだけでなく、途中の孔７１からも流出する。排水管３２は、ケーブル２２とともに保護土砂層５１で覆われている。そのため、排水管３２の水は、管端部３３および孔７１から保護土砂層５１へ吸水される。
以上のように、第２実施形態では、収容室１４から排出される水は、排水管３２の管端部３３だけでなく孔７１からも保護土砂層５１へ浸透する。したがって、より速やか、かつ確実に収容室１４の水を排水することができる。
【００２３】
（第３実施形態）
第３実施形態によるハンドホールおよびハンドホール設置構造を図４に示す。
第３実施形態の排水管３２は、第２実施形態と同様に孔７１を有している。第３実施形態の場合、この排水管３２の孔７１に面する部分、すなわち排水管３２の孔７１の下方に吸水層７２を備えている。吸水層７２は、保護土砂層５１と同一または保護土砂層５１に近い水の浸透性を有している。この吸水層７２は、保護土砂層５１の下方に、この保護土砂層５１と連続して任意の範囲で設定されている。これにより、排水管３２の管端部３３および孔７１から排出された水は、保護土砂層５１だけでなく吸水層７２にも浸透する。このように保護土砂層５１に連続する吸水層７２を設けることにより、排水管３２の周辺における吸水性は向上する。その結果、ハンドホール１０から排出される水の量が増加しても、排水性の低下が抑制される。
【００２４】
以上のように、第３実施形態では、収容室１４から排出される水は、排水管３２を経由して保護土砂層５１だけでなく吸水層７２にも浸透する。これにより、排水管３２の周囲において吸収可能な水の量は増大する。したがって、より速やか、かつ確実に収容室１４の水を排水することができる。
【００２５】
（第４実施形態）
第４実施形態によるハンドホールおよびハンドホール設置構造を図５に示す。
第４実施形態の排水管３２は、収容室１４側の端部８１が収容室１４内に突出しており、この端部８１に浮き部材８２を有している。これにより、排水管３２の収容室１４側の端部８１は、浮き部材８２に追従して収容室１４の内部を上下へ移動する。つまり、収容室１４に流入した水は、その水位が上下へ変化する。排水管３２の端部８１に浮き部材８２を設けることにより、排水管３２の端部８１は、この収容室１４における水位の変化に応じて上下へ移動する。
【００２６】
このような第４実施形態の場合、急な増水によって収容室１４内の水位がケーブル２２よりも高い水位Ｈまで上昇したとき、浮き部材８２によって排水管３２の端部８１も上昇した水位Ｈの近傍まで移動する。そのため、収容室１４内の水は、水位Ｈに近い、より高い位置から排水管３２を経由して保護土砂層５１へ排水される。その結果、収容室１４からの排水は促進される。一方、収容室１４における水位が集水凹部６２まで低下したとき、浮き部材８２に追従する排水管３２の管端部３３も底部１１の近傍まで移動する。このとき、排水管３２を経由して連続的に排水されていれば、排水管３２よりも低い集水凹部６２に集められた水も、サイフォンの原理によって排水管３２から保護土砂層５１へ排水される。その結果、収容室１４における水位に関わらず、収容室１４の水は排水される。
【００２７】
第４実施形態では、排水管３２の収容室１４側の端部８１に浮き部材８２を設けることにより、この端部８１は収容室１４における水位によって上下する浮き部材８２に追従して上下に移動する。そのため、収容室１４における水位が高いとき、より高い位置から保護土砂層５１への水の流れが形成される。したがって、収容室１４の内部の水を迅速に排水することができる。また、収容室１４における水位が開口部３１よりも下方に変化した場合でも、収容室１４の水はサイフォンの原理によって収容室１４の外部へ排出される。したがって、収容室１４における水位に関係なく、収容室１４の水を外部へ排水することができる。
【００２８】
（第５実施形態）
第５実施形態によるハンドホールおよびハンドホール設置構造を図６に示す。
上述の第１実施形態から第４実施形態では、排水管３２をケーブル２２が挿入されるケーブル挿入部２１とは別の開口部３１に挿入する例について説明した。
これに対し、第５実施形態の場合、ハンドホール１０は、側壁部１２に、この側壁部１２を貫く開口部９１のみを有している。この開口部９１には、排水管９２が挿入されている。そして、この排水管９２の内側には、ケーブル２２およびケーブル保護管２３が挿入されている。すなわち、ケーブル２２およびケーブル保護管２３は、開口部９１に挿入されている排水管９２の内側に挿入されている。このとき、ケーブル２２の外周側を保護するケーブル保護管２３は、スリーブ９３などによって排水管９２の内側に排水管９２と接しないように支持されている。スリーブ９３は、ケーブル保護管２３から放射状に延びている。これにより、ケーブル保護管２３の下端と排水管９２の下端との間には、水が流れる隙間９４が形成されている。
【００２９】
このような第５実施形態の場合も、第１実施形態から第４実施形態と同様に、収容室１４に流入した水の水位が上昇すると、収容室１４の水はケーブル保護管２３と排水管９２との間の隙間９４を経由して保護土砂層５１へ排水される。この場合、排水管９２が挿入される開口部９１の下端は、ケーブル保護管２３の下端よりも下方に位置している。そのため、収容室１４の水は、その水位がケーブル保護管２３に達する前に、排水管９２を経由して保護土砂層５１へ排水される。
以上のように、第５実施形態では、開口部９１にケーブル保護管２３および排水管９２が挿入されている。そのため、ハンドホール１０の側壁部１２に加工すべき開口部９１の数が低減される。したがって、ハンドホール１０の加工を容易にすることができる。
【００３０】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
図面中、１０はハンドホール、１１は底部、１２は側壁部、１４は収容室、２１はケーブル挿入部、２２はケーブル、３１、９１は開口部、３２、９２は排水管、５１は保護土砂層、７１は孔、７２は吸水層、８２は浮き部材、９４は隙間を示す。
【図１】
0005562748.tif 000002
【図２】
0005562748.tif 000003
【図３】
0005562748.tif 000004
【図４】
0005562748.tif 000005
【図５】
0005562748.tif 000006
【図６】
0005562748.tif 000007